(57)【要約】【課題】  レバープレートまたはドライブリングの母材と一体成形した連結ピン部及び連結ピン部係合用の溝の摩耗を防止する手段、及びドライブリングのノズルマウントからレバープレート側への抜出しを防止して可変ノズル機構の作動不良の発生可能性を皆無とする手段をそなえた可変容量型排気ターボ過給機を提供する。【解決手段】  可変ノズル機構１００を備えた可変容量型排気ターボ過給機において、前記レバープレート１の側面と前記ノズルマウント５の側面との間に、前記ドライブリング３を前記レバープレート１及びノズルマウント５と軸方向に並設した形態で配置し、前記ドライブリング３の外側面に当接可能に構成されて該ドライブリング３の軸方向の移動を阻止する部位を前記ノズルマウントの側部に設け、  前記ドライブリングの軸方向の移動を阻止する部位が、前記ノズルマウントの側部に円周方向に沿って設けた環状の溝３ｙであり、該溝３ｙ内に前記ドライブリング３を嵌合して該溝の側面により該前記ドライブリングの軸方向移動を阻止するように構成した。【選択図】    図４
2010169101.tif 000002
【特許請求の範囲】
【請求項１】
タービンケーシングを含むケースに固定されたノズルマウントに回動可能に支持される複数のノズルベーンと、アクチュエータに連動される環状のドライブリングと、円周方向に沿って前記ノズルベーンと同数配設され、一端側を該ドライブリングに連結ピン部及び該連結ピン部が嵌合される溝部を介して連結されるとともに他端側を前記ノズルベーンに連結されるレバープレートとをそなえ、前記ドライブリングの回動により前記各レバープレートを揺動させ、該レバープレートの揺動により前記複数のノズルベーンの翼角を変化せしめる可変ノズル機構を備えた可変容量型排気ターボ過給機において、
前記レバープレートの側面と前記ノズルマウントの側面との間に、前記ドライブリングを前記レバープレート及びノズルマウントと軸方向に並設した形態で配置し、前記ドライブリングの外側面に当接可能に構成されて該ドライブリングの軸方向の移動を阻止する部位を前記ノズルマウントの側部に設け、
前記ドライブリングの軸方向の移動を阻止する部位が、前記ノズルマウントの側部に円周方向に沿って設けた環状の溝であり、該溝内に前記ドライブリングを嵌合して該溝の側面により該ドライブリングの軸方向移動を阻止するように構成したことを特徴とする可変ノズル機構を備えた可変容量型排気ターボ過給機。
【請求項２】
前記ドライブリング及びノズルマウントに、該ドライブリングあるいはノズルマウントのいずれか一方に形成した係合凸部と他方に形成した係合凹部とを該ドライブリング及びノズルマウントの軸方向相対移動により係合して、該ドライブリングを前記ノズルマウントに設けられた環状の溝に嵌合する係合部を設けたことを特徴とする請求項１記載の可変ノズル機構を備えた可変容量型排気ターボ過給機。
【請求項３】
請求項１記載の可変容量型排気ターボ過給機において、
前記連結ピン部及び該連結ピン部が嵌合される前記溝部の、少なくとも該連結ピン部と溝部のいずれか一方の接触部分に、ＰＶＤ処理（物理的イオン吸着処理）による被膜またはＣＶＤ処理化学的イオン吸着処理）による被膜を形成したことを特徴とする可変ノズル機構を備えた可変容量型排気ターボ過給機。
【請求項４】
前記連結ピン部を、前記各レバープレートまたは前記ドライブリングのいずれか一方を押出し成形若しくは精密鋳造によって母材と一体に形成し、少なくとも前記連結ピン部と前記溝部のいずれか一方の接触部分に、拡散浸透処理を含む表面硬化処理を施したことを特徴とする可変ノズル機構を備えた請求項１記載の可変容量型排気ターボ過給機。
【請求項５】
前記レバープレートの側面と前記ノズルマウントの側面との間に、前記ドライブリングを前記レバープレート及びノズルマウントと軸方向に並設した形態で配置し、前記各レバープレートまたは前記ドライブリングのいずれか一方側の部材の側面から母材と一体に前記連結ピン部を突設して、他方側の部材の側部に形成された前記溝部に該連結ピン部が係合するように構成したことを特徴とする請求項１記載の可変容量型排気ターボ過給機。
【請求項６】
請求項２記載の可変容量型排気ターボ過給機の製造方法であって、
前記レバープレートの側面と側部に環状の溝を設けた前記ノズルマウントの側面との間に、前記ドライブリングを前記レバープレート及びノズルマウントと軸方向に並設した形態で配置し、前記ドライブリングあるいはノズルマウントのいずれか一方に形成した係合凸部と他方に形成した係合凹部とを該ドライブリング及びノズルマウントを軸方向に相対移動させて該係合凸部と係合凹部とを係合し、該ドライブリングを前記ノズルマウントの溝に嵌合した後、該ドライブリングを円周方向に所定量回動させて該ドライブリングの前記溝からの抜出しを阻止し、次いで前記レバープレートを前記ドライブリングの側部に組付けて、レバープレートを前記ノズルベーンに固定することを特徴とする可変ノズル機構を備えた可変容量型排気ターボ過給機の製造方法。
【請求項７】
請求項１乃至４いずれか１記載の可変容量型排気ターボ過給機の製造方法であって、
前記各レバープレートまたは前記ドライブリングのいずれか一方について、側面の一方側を押圧し反対側を突出せしめて前記連結ピン部を押出し成形し、あるいは精密鋳造により側面の一方側に前記連結ピン部を突設することにより、前記連結ピン部を母材と一体形成し、次いで少なくとも前記連結ピン部と前記溝部のいずれか一方の接触部分に、拡散浸透処理を含む表面硬化処理を施すことを特徴とする可変ノズル機構を備えた可変容量型排気ターボ過給機の製造方法。
【発明の詳細な説明】
【技術分野】
【０００１】
本発明は、内燃機関の排気ターボ過給機に用いられ、複数のノズルベーンの翼角を変化せしめる可変ノズル機構を備えた可変容量型排気ターボ過給機におけるドライブリング及びレバープレートの構造、並びに、該可変ノズル機構の組立方法に関する。
【背景技術】
【０００２】
複数のノズルベーンの翼角を変化せしめる可変ノズル機構を備えた可変容量型排気ターボ過給機におけるドライブリング及びレバープレートの構造に関する技術の一つとして、本件出願人の発明に係る特許文献１（特開２００２−２８５８０４号公報）の技術が提供されている。
【０００３】
かかる技術においては、タービンケーシングに固定されたノズルマウントに回動可能に支持される複数のノズルベーンと、アクチュエータに連動される環状のドライブリングと、円周方向に沿って前記ノズルベーンと同数配設され、一端側を該ドライブリングに連結ピン部及び該連結ピン部が嵌合される溝部を介して連結されるとともに、他端側を前記ノズルベーンに連結されるレバープレートとをそなえ、前記ドライブリングの回動により前記各レバープレートを揺動させ、該レバープレートの揺動により前記複数のノズルベーンの翼角を変化せしめる可変ノズル機構を備え、前記連結ピン部を、前記各レバープレートまたはドライブリングのいずれか一方を押出し成形、精密鋳造等の一体成形によって母材と一体に形成している。
【先行技術文献】
【特許文献】
【０００４】
【特許文献１】特開２００２−２８５８０４号公報
【発明の概要】
【発明が解決しようとする課題】
【０００５】
しかしながら、前記特許文献１（特開２００２−２８５８０４号公報）の技術にあっては、ドライブリングと各レバープレートとを連結する連結ピン部を、各レバープレートまたはドライブリングのいずれか一方を押出し成形、精密鋳造等の一体成形によって母材と一体に形成しているにとどまり、該連結ピン部及び相手部材の連結ピン部係合用の溝の摩耗への対処については開示されていない。
【０００６】
また、かかる技術にあっては、レバープレートの側面とノズルマウントの側面との間に、ドライブリングを該レバープレート及びノズルマウントと軸方向に並設した形態で配置可能となっているが、ドライブリングのノズルマウントからレバープレート側への抜出し防止手段については開示されていない。
【０００７】
本発明はかかる従来技術の課題に鑑み、前記特許文献１（特開２００２−２８５８０４号公報）の技術にさらに改良を加え、各レバープレートまたはドライブリングの母材と一体成形した連結ピン部及び連結ピン部係合用の溝の摩耗を防止する手段、及びドライブリングのノズルマウントからレバープレート側への抜出しを防止して可変ノズル機構の作動不良の発生可能性を皆無とする手段をそなえた可変容量型排気ターボ過給機を提供することを目的とする。
【課題を解決するための手段】
【０００８】
本発明はかかる目的を達成するもので、タービンケーシングを含むケースに固定されたノズルマウントに回動可能に支持される複数のノズルベーンと、アクチュエータに連動される環状のドライブリングと、円周方向に沿って前記ノズルベーンと同数配設され、一端側を該ドライブリングに連結ピン部及び該連結ピン部が嵌合される溝部を介して連結されるとともに他端側を前記ノズルベーンに連結されるレバープレートとをそなえ、前記ドライブリングの回動により前記各レバープレートを揺動させ、該レバープレートの揺動により前記複数のノズルベーンの翼角を変化せしめる可変ノズル機構を備えた可変容量型排気ターボ過給機において、
前記レバープレートの側面と前記ノズルマウントの側面との間に、前記ドライブリングを前記レバープレート及びノズルマウントと軸方向に並設した形態で配置し、前記ドライブリングの外側面に当接可能に構成されて該ドライブリングの軸方向の移動を阻止する部位を前記ノズルマウントの側部に設け、
前記ドライブリングの軸方向の移動を阻止する部位が、前記ノズルマウントの側部に円周方向に沿って設けた環状の溝であり、該溝内に前記ドライブリングを嵌合して該溝の側面により該前記ドライブリングの軸方向移動を阻止するように構成したことを特徴とする。
【０００９】
かかる発明によれば、前記ノズルマウントの側部に円周方向に沿って設けた環状の溝内に前記ドライブリングを嵌合して該溝の側面により該前記ドライブリングの軸方向移動を阻止するように構成するもので、格別な部材を追設せず部品数の増加及び部品コストの増加を伴うことの無い手段で以って、ドライブリングの軸方向への抜出しを確実に回避でき、ドライブリングの軸方向への抜出しに伴なう可変ノズル機構の作動不良の発生を防止できる。
【００１０】
かかる発明に加えて、好ましくは、前記ドライブリング及びノズルマウントに、該ドライブリングあるいはノズルマウントのいずれか一方に形成した係合凸部と他方に形成した係合凹部とを該ドライブリング及びノズルマウントの軸方向相対移動により係合して、該ドライブリングを前記ノズルマウントに設けられた環状の溝に嵌合する係合部を設ける。
【００１１】
また、前記のように構成された可変ノズル機構を備えた可変容量型排気ターボ過給機の製造方法の発明は、
前記レバープレートの側面と側部に環状の溝を設けた前記ノズルマウントの側面との間に、前記ドライブリングを前記レバープレート及びノズルマウントと軸方向に並設した形態で配置し、前記ドライブリングあるいはノズルマウントのいずれか一方に形成した係合凸部と他方に形成した係合凹部とを該ドライブリング及びノズルマウントを軸方向に相対移動させて該係合凸部と係合凹部とを係合して該ドライブリングを前記ノズルマウントの溝に嵌合した後、該ドライブリングを円周方向に所定量回動させて該ドライブリングの前記溝からの抜出しを阻止し、次いで前記レバープレートを前記ドライブリングの側部に組付けて、レバープレートを前記ノズルベーンに固定することを特徴とする。
【００１２】
かかる発明によれば、ノズルマウントの側部に円周方向に沿って設けた環状の溝にドライブリングを嵌合するという、格別な部材を追設せず部品数の増加及び部品コストの増加を伴うことのない手段で以って、ドライブリングの軸方向への抜出しを確実に回避でき、かかるドライブリングの軸方向への抜出しに伴なう可変ノズル機構の作動不良の発生を防止できる。
【００１３】
また本発明は、前記可変ノズル機構を備えた可変容量型排気ターボ過給機において、
前記連結ピン部及び該連結ピン部が嵌合される前記溝部の、少なくとも該連結ピン部と溝部のいずれか一方の接触部分に、ＰＶＤ処理（物理的イオン吸着処理）による被膜またはＣＶＤ処理（化学的イオン吸着処理）による被膜を形成するのがよい。
かかる発明によれば、連結ピン部と溝部との接触部分にＰＶＤ処理による硬質被膜形成、あるいはＣＶＤ処理による硬質被膜形成をなすことにより、連結ピン部と溝部との接触部分の摩耗低減効果をさらに向上することができる。
【００１４】
また本発明は、前記可変容量型排気ターボ過給機において、
前記連結ピン部を、前記各レバープレートまたは前記ドライブリングのいずれか一方を押出し成形、精密鋳造等の一体成形によって母材と一体に形成し、少なくとも前記連結ピン部と前記溝部のいずれか一方の接触部分に、拡散浸透処理を含む表面硬化処理を施すのがよい。
かかる発明において、具体的には、前記レバープレートの側面と前記ノズルマウントの側面との間に、前記ドライブリングを前記レバープレート及びノズルマウントと軸方向に並設した形態で配置し、前記各レバープレートまたは前記ドライブリングのいずれか一方側の部材の側面から母材と一体に前記連結ピン部を突設して、他方側の部材の側部に形成された前記溝部に該連結ピン部が係合するように構成するのが好ましい。
【００１５】
また、前記のように構成された可変ノズル機構を備えた可変容量型排気ターボ過給機の製造方法の発明は、
前記各レバープレートまたは前記ドライブリングのいずれか一方について、側面の一方側を押圧し反対側を突出せしめて前記連結ピン部を押出し成形し、あるいは精密鋳造により側面の一方側に前記連結ピン部を突設することにより、前記連結ピン部を母材と一体形成し、次いで少なくとも前記連結ピン部と前記溝部のいずれか一方の接触部分に、拡散浸透処理を含む表面硬化処理を施すことを特徴とする。
【００１６】
かかる発明によれば、連結ピン部を、各レバープレートまたはドライブリングのいずれか一方を押出し成形、精密鋳造等の一体成形によって母材と一体に形成するので、各レバープレートまたはドライブリングを、高い靭性を有するが比較的軟質で押出し成形加工が容易な鋼材、あるいは精密鋳造材で構成することによって、前記連結ピン部を各レバープレートあるいはドライブリングと容易に一体成形できるとともに、少なくとも連結ピン部と該連結ピン部が嵌合される溝部との接触部分に拡散浸透処理を含む表面硬化処理を施すことにより該接触部分の硬度を増大できて、該連結ピン部と溝部との接触部分の摩耗を低減することができる。
【００１７】
これにより、連結ピン部と該連結ピン部が嵌合される溝部との接触部分の硬度を増大することによって、該接触部分の摩耗を抑制して高い耐久性を保持しつつ、連結ピン部を１工程の押出し成形加工あるいは精密鋳造によってレバープレートあるいはドライブリングと一体成形にて容易に製作できることとなって、連結ピン部を別個に製作してレバープレートとドライブリングとを連結するものに比べて、組立工数及び組立コストを低減できるとともに、部品数及び部品コストを低減できる。
【発明の効果】
【００１８】
本発明によれば、ノズルマウントの側部に円周方向に沿って設けた環状の溝にドライブリングを嵌合するという、簡単な構造で格別な部材を追設せず部品数の増加及び部品コストの増加を伴うことのない手段で、ドライブリングの軸方向への抜出しを確実に回避でき、かかるドライブリングの軸方向への抜出しに伴なう可変ノズル機構の作動不良の発生を防止できる。
【００１９】
また本発明によれば、連結ピン部と該連結ピン部が嵌合される溝部との接触部分に拡散浸透処理を含む表面硬化処理を施すことにより該接触部分の硬度を増大することができて、該接触部分の摩耗を抑制して高い耐久性を保持しつつ、各レバープレートまたはドライブリングのいずれか一方を押出し成形、精密鋳造等の一体成形によって母材と一体に形成することにより、連結ピン部を１工程の押出し成形加工あるいは精密鋳造によってレバープレートあるいはドライブリングと一体成形にて容易に製作できることとなり、該連結ピン部を別個に製作してレバープレートとドライブリングとを連結するものに比べて組立工数及び組立コストを低減できるとともに、部品数及び部品コストを低減できる。
なお、表面硬化処理に関して、例えば鋼同士のような金属同士の組み合わせを用いると、両者の材料同士が凝着することにより発生する摩耗（凝着摩耗）により大きな摩耗が発生することが懸念されるが、一方の表面に処理を施すと表面がセラミックス化、ないしは金属間化合物の生成により硬化され、凝着摩耗を緩和できる。また、表面処理により硬化すると摺動にともなう面あれが防止できるため、相手面に表面処理を施していない場合でも面あれによる引っかき摩耗（アブレシブ摩耗）の発生を緩和できる。以上のような理由から、一方に表面処理を施工しただけでも摩耗低減効果が期待できる。
【図面の簡単な説明】
【００２０】
【図１】本発明の第１実施例にかかる可変ノズル機構を示し、（Ａ）はレバープレート側から視た正面図、（Ｂ）は（Ａ）におけるＡ−Ａ線断面図である。
【図２】本発明の第２実施例に係る可変ノズル機構を示し、（Ａ）はレバープレート側から視た正面図、（Ｂ）は（Ａ）におけるＡ−Ａ線断面図である。
【図３】本発明の参考例１に係る可変ノズル機構を示し、（Ａ）はレバープレート側から視た正面図、（Ｂ）は（Ａ）におけるＣ−Ｃ線断面図、（Ｃ）は変形例を示す前記Ｃ−Ｃ線断面相当図である。
【図４】本発明の第３実施例に係る可変ノズル機構を示し、（Ａ）はレバープレート側から視た正面図、（Ｂ）は（Ａ）におけるＤ−Ｄ線断面図である。
【図５】本発明に係る可変ノズル機構を備えた可変容量型排気ターボ過給機の要部縦断面図である。
【発明を実施するための形態】
【００２１】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
【００２２】
図５は本発明に係る可変ノズル機構を備えた可変容量型排気ターボ過給機の要部縦断面図である。
図５において、３０はタービンケーシング、３８は該タービンケーシング３０の外周部に渦巻状に形成されたスクロールである。３４はラジアル流型のタービンロータ、３５はコンプレッサ、３２は該タービンロータ３４とコンプレッサ３５とを連結するタービンシャフト、３１はコンプレッサハウジング、３６は軸受ハウジングである。
該タービンロータ３４とコンプレッサ３５とを連結するタービンシャフト３２は、２個の軸受３７，３７を介して軸受ハウジング３６に回転自在に支持されている。８は排ガス出口、４０は該排気ターボ過給機の回転軸心である。
【００２３】
２はノズルベーンで、前記スクロール３８の内周側にタービンの円周方向等間隔に複数枚配置されるとともに、これの翼端部に形成されたノズル軸２ａが前記タービンケーシング３０に固定されたノズルマウント５に回動可能に支持されている。
４１はアクチュエータ、３３はアクチュエータロッド、３９は該アクチュエータロッド３３と前記ドライブリング３とを連結する駆動機構で、該アクチュエータロッド３３の往復運動をドライブリング３の回転運動に変換する。
１００は前記ノズルベーン２の翼角を変化せしめる可変ノズル機構である。
【００２４】
図５のように構成された可変ノズル機構付き可変容量型排気ターボ過給機の運転時において、内燃機関（図示省略）からの排ガスは前記スクロール３８に入り、該スクロール３８の渦巻きに沿って周回しながらノズルベーン２に流入する。そして、該排ガスは、前記ノズルベーン２の翼間を流過して前記タービンロータ３４にその外周側から流入し、中心側に向かい半径方向に流れて該タービンロータ３４に膨張仕事をなした後、軸方向に流出して排ガス出口８に案内されて機外に送出される。
【００２５】
かかる可変容量タービンの容量を制御するにあたっては、前記アクチュエータ４１に対し、前記ノズルベーン２を流れる排ガスの流量が所要の流量になるような該ノズルベーン２の翼角を、翼角制御手段（図示省略）により設定する。かかる翼角に対応するアクチュエータ４１の往復変位は駆動機構３９を介してドライブリング３に伝達され、該ドライブリング３が回転駆動される。
該ドライブリング３の回転により、後述する連結ピン部１０（あるいは１１）を介してレバープレート１が前記ノズル軸２ａ廻りに回動せしめられ、該ノズル軸２ａの回動によりノズルベーン２が回動して前記アクチュエータ４１にて設定された翼角に変化せしめられる。
本発明はかかる可変容量タービンの容量を制御する可変ノズル機構１００の改良に係るものである。
【実施例１】
【００２６】
図１は本発明の第１実施例にかかる可変ノズル機構を示し、（Ａ）はレバープレート側から視た正面図、（Ｂ）は（Ａ）におけるＡ−Ａ線断面図である。
１００は前記ノズルベーン２の翼角を変化せしめる可変ノズル機構１００で、次のように構成されている。
３は円盤状に形成されたドライブリングで、前記ノズルマウント５に回転可能に支持されるとともに、外周側に後述する連結ピン部１０が係合される溝３ｙが円周方向等間隔に形成されている。３ｚは前記駆動機構３９のリンクが係合する駆動溝である。
１はレバープレートで、前記ドライブリング３の溝３ｙと同数円周方向等間隔に設置されている。各レバープレート１の外周側には連結ピン部１０が形成され、内周側には前記ノズルベーン２のノズル軸２ａが固定されている。
６は環状に形成された支持プレート、７は該支持プレート６と前記ノズルマウント５とを連結する複数のノズルサポートである。
【００２７】
前記可変ノズル機構１００においては、図１（Ｂ）のように、前記レバープレート１を軸方向外側（図５における排ガス出口８側）に配置し、該レバープレート１の側面と前記ノズルマウント５の側面との間に、前記ドライブリング３を前記レバープレート１及びノズルマウント５と軸方向に並設した形態で配置している。
前記連結ピン部１０は、前記各レバープレート１の一側面をプレスによって加圧して、該一側面側に円状の凹部１０ａを形成するとともに、反対側の側面を円柱状に突出させる押出し成形によって母材と一体で形成される。
また、前記各レバープレート１を精密鋳造品で構成する場合には、鋳造時に前記連結ピン部１０をレバープレート１母材と一体成形する。
そして、該連結ピン部１０の外周面及び該連結ピン部１０が係合する前記ドライブリング３の溝３ｙの一方ないしは両方に、クロム拡散浸透処理、アルミニウム拡散浸透処理、バナジウム拡散浸透処理、ニオブ拡散浸透処理、ボロン拡散浸透処理等の拡散浸透処理、あるいは窒化処理、前記拡散浸透処理と浸炭処理との併合処理、等の表面硬化処理を施す。
【００２８】
前記のように構成された可変ノズル機構１００を製作するにあたっては、前記各レバープレート１の一側面をプレスによって加圧して、該一側面側に円状の凹部１０ａを形成することにより、各レバープレート１に前記連結ピン部１０を母材と一体に突設する。一方前記ドライブリング３には溝３ｙを機械加工、あるいは該ドライブリング３が精密鋳造品の場合は精密鋳造により形成する。
次いで、前記連結ピン部１０の外周面及び該連結ピン部１０が係合する前記ドライブリング３の溝３ｙの一方ないしは両方に、前記のような表面硬化処理を施す。
【実施例２】
【００２９】
図２は本発明の第２実施例に係る可変ノズル機構を示し、（Ａ）はレバープレート側から視た正面図、（Ｂ）は（Ａ）におけるＡ−Ａ線断面図である。
この第２実施例においては、前記ドライブリング３側に、円周方向等間隔に、該ドライブリング３の一側面をプレスによって加圧して、該一側面側に、前記第１実施例と同様な円状の凹部３ａを形成するとともに反対側の側面を円柱状に突出させる押出し成形によって連結ピン部１１を母材と一体で形成している。また、各レバープレート１の外周部を二股状に形成して、前記連結ピン部１１が係合される溝１ｂを設けている。
その他の構成は前記第１実施例と同様であり、これと同一の部材は同一の符号で示す。
【００３０】
かかる第１、第２実施例によれば、ドライブリング３と各レバープレート１とを連結する連結ピン部１０（１１）を、各レバープレート１またはドライブリング３のいずれか一方を押出し成形、精密鋳造等の一体成形によって母材と一体に形成するので、各レバープレート１またはドライブリング３を、高い靭性を有するが比較的軟質で押出し成形加工が容易な鋼材、あるいは精密鋳造材で構成することによって、前記連結ピン部１０を各レバープレート１あるいはドライブリング３と容易に一体成形できる。
それとともに、前記連結ピン部１０（あるいは１１）と該連結ピン部が嵌合される溝３ｙ（あるいは１ｂ）との接触部分の一方ないしは両方に拡散浸透処理を含む表面硬化処理を施すことにより、該接触部分の硬度を増大、ないしは材料間の凝着防止ができて、該連結ピン部（あるいは１１）と溝３ｙ（あるいは１ｂ）との接触部分の摩耗を低減することができる。
【００３１】
これにより、前記連結ピン部１０（あるいは１１）と該連結ピン部が嵌合される溝３ｙ（あるいは１ｂ）との接触部分の硬度を増大することによって、該接触部分の摩耗を抑制して高い耐久性を保持しつつ、連結ピン部１０（あるいは１１）を１工程の押出し成形加工あるいは精密鋳造によってレバープレート１あるいはドライブリング３と一体成形にて容易に製作できることとなって、連結ピン部を別個に製作してレバープレート１とドライブリング３とを連結するものに比べて、組立工数及び組立コストを低減できるとともに、部品数及び部品コストを低減できる。
（参考例１）
【００３２】
図３は本発明の参考例１に係る可変ノズル機構を示し、（Ａ）はレバープレート側から視た正面図、（Ｂ）は（Ａ）におけるＣ−Ｃ線断面図である。また（Ｃ）は変形例を示す前記Ｃ−Ｃ線断面相当図である。尚、この参考例１における図３のＡ−Ａ線断面図は図１（Ｂ）と同様である。
この参考例１においては、前記第１、第２実施例と同様に、前記レバープレート１の側面と前記ノズルマウント５の側面との間に、前記ドライブリング３を前記レバープレート１及びノズルマウント５と軸方向に並設した形態で配置し、前記ドライブリング３の外側面３ａに当接可能にされて該ドライブリング３の軸方向移動つまり前記レバープレート１側への抜出しを阻止する複数個（この例では円周方向等間隔に４個）の鋲１２を前記ノズルマウント５の側部に固定している。
【００３３】
また、この参考例１において、図３（Ｃ）のように、前記ドライブリング３の外側面３ｃ及び前記ノズルマウント５の側面５ｃに溝１３を形成し、該溝１３内に前記鋲１２の頭部を嵌め込み、該鋲１２がレバープレート１側に突出しないようにして、コンパクトな構造とすることもできる。
【００３４】
かかる参考例１によれば、前記鋲１２を前記ノズルマウント５の側部の円周方向複数箇所（この例では４箇所）に固定するという、きわめて簡単な構造で且つ低コストの手段で以って、ドライブリング３の軸方向への抜出しを確実に回避でき、かかるドライブリング３の軸方向への抜出しに伴なう可変ノズル機構１００の作動不良の発生を防止できる。
その他の構成は前記第１実施例と同様であり、これと同一の部材は同一の符号で示す。
【実施例３】
【００３５】
図４は本発明の第３実施例に係る可変ノズル機構を示し、（Ａ）はレバープレート側から視た正面図、（Ｂ）は（Ａ）におけるＤ−Ｄ線断面図である。尚、この第３実施例における図４のＡ−Ａ線断面図は図１（Ｂ）と同様である。
この第３実施例においては、前記第１、第２実施例と同様に、前記レバープレート１の側面と前記ノズルマウント５の側面との間に、前記ドライブリング３を前記レバープレート１及びノズルマウント５と軸方向に並設した形態で配置し、前記ノズルマウント５の側部に円周方向に沿って環状の溝１５を設け、該溝１５内に前記ドライブリング３を嵌合して、該溝１５の側面により該前記ドライブリング３のレバープレート１側への抜出しを阻止している。
そして、図４（Ａ）のように、前記ドライブリング３及びノズルマウント５の側部５ｚに、該ドライブリング３に形成した係合凹部１４ａと該ノズルマウント５の側部５ｚに形成した係合凸部１４ｂとを係合する係合部１４を設けている。
【００３６】
従って、この第３実施例における可変ノズル機構１００を組立てるにあたっては、前記レバープレート１の側面と側部に環状の溝１５を設けた前記ノズルマウント５の側面との間に、前記ドライブリング３を前記レバープレート１及びノズルマウント５と軸方向に並設した形態で配置し、前記ドライブリング３を軸方向にノズルマウント５側に移動させて、係合凹部１４ａとノズルマウント５の側部５ｚの係合凸部１４ｂとを係合して該ドライブリング３を前記ノズルマウント５の溝１５内に嵌合する。
次いで、該ドライブリング３を円周方向に所定量回動させて、前記係合凹部１４ａと係合凸部１４ｂとを円周方向にずらして、該ドライブリング３の前記溝１５からの抜出しを阻止する。さらに、前記レバープレート１を前記ドライブリング３の側部に組付けて、該レバープレート１を前記ノズルベーン２に固定する。
その他の構成は前記第１実施例と同様であり、これと同一の部材は同一の符号で示す。
【００３７】
かかる第３実施例によれば、ノズルマウント５の側部５ｚに円周方向に沿って設けた環状の溝１５にドライブリング３を嵌合するという、格別な部材を追設せず部品数の増加及び部品コストの増加を伴うことの無い手段で以って、ドライブリング３の軸方向への抜出しを確実に回避でき、かかるドライブリング３の軸方向への抜出しに伴なう可変ノズル機構１００の作動不良の発生を防止できる。
【実施例４】
【００３８】
本発明の第４実施例においては、図１〜図４に示されるような可変ノズル機構１００を備えた可変容量型排気ターボ過給機において、前記連結ピン部１０（あるいは１１）及び該連結ピン部が嵌合される前記溝３ｙ（あるいは１ｂ）の一方ないしは両方の接触部分（連結ピン部１０（あるいは１１）及び溝３ｙ（あるいは１ｂ）の全体でもよい）に、ＰＶＤ処理（物理的イオン吸着処理）による被膜またはＣＶＤ処理（化学的イオン吸着処理）による被膜を形成している。
かかる第４実施例によれば、連結ピン部１０（あるいは１１）と溝３ｙ（あるいは１ｂ）との接触部分にＰＶＤ処理による硬質被膜形成、あるいはＣＶＤ処理による硬質被膜形成をなすことにより、該連結ピン部１０（あるいは１１）と溝３ｙ（あるいは１ｂ）との接触部分の摩耗低減効果をさらに向上することができる。
【産業上の利用可能性】
【００３９】
本発明によれば、各レバープレートまたはドライブリングの母材と一体成形した連結ピン部及び連結ピン部係合用の溝の摩耗を防止する手段、及びドライブリングのノズルマウントからレバープレート側への抜出しを防止して可変ノズル機構の作動不良の発生可能性を皆無とする手段をそなえた可変容量型排気ターボ過給機を提供できる。
【符号の説明】
【００４０】
１    レバープレート
２    ノズルベーン
２ａ    ノズル軸
３    ドライブリング
３ｙ、１ｂ    溝
５    ノズルマウント
１０、１１    連結ピン部
１４    係合部
１５    溝
３０    タービンケーシング
３４    タービンロータ
３５    コンプレッサ
４１    アクチュエータ
１００    可変ノズル機構
【図１】
2010169101.tif 000003
【図２】
2010169101.tif 000004
【図３】
2010169101.tif 000005
【図４】
2010169101.tif 000006
【図５】
2010169101.tif 000007